(57)【要約】【課題】簡単な構成で電圧無効電力制御のための余裕量を確保する。【解決手段】電圧無効電力制御装置は、母線の測定電圧が、目標帯内を示すと判定された場合に、電圧調整部を制御するための処理を実行する制御処理部を備える。制御処理部は、電圧調整部の動作量を検出する動作量検出部と、動作量検出部により検出された動作量と、目標動作量との偏差から、目標動作量に移行させるための電圧調整部の動作量を取得する移行動作量取得部と、電圧調整部が、移行動作量取得部により取得された動作量に従い動作した場合に推定される、母線の電圧を取得する動作後電圧取得部と、動作後電圧取得部により取得される推定電圧が、目標帯内の電圧を示す場合に、取得された動作量に従い電圧調整部を動作させるための制御指令を出力する制御部と、を含む。【選択図】図３
2015090580.tif 000002
【特許請求の範囲】
【請求項１】
母線と、当該母線の電圧を変化させるように動作する電圧調整部とを有した電力系統のための電圧無効電力制御装置であって、
前記母線の測定電圧が、目標帯内の電圧を示すか否かを判定する判定部と、
目標帯内の電圧を示すと判定された場合に、前記電圧調整部を制御するための処理を実行する制御処理部と、を備え、
前記制御処理部は、
前記電圧調整部の動作量を検出する動作量検出部と、
前記動作量検出部により検出された前記動作量と、目標動作量との偏差から、前記目標動作量に移行させるための前記電圧調整部の動作量を取得する移行動作量取得部と、
前記電圧調整部が、前記移行動作量取得部により取得された前記動作量に従い動作した場合に推定される、前記母線の電圧を取得する動作後電圧取得部と、
前記動作後電圧取得部により取得される前記母線の推定電圧が、前記目標帯内の電圧を示す場合に、前記移行動作量取得部により取得された動作量に従い前記電圧調整部を動作させるための制御指令を出力する制御部と、を含む、電圧無効電力制御装置。
【請求項２】
前記電圧無効電力制御装置は、前記制御処理部に、定期的に処理を実行させ、
前記制御部は、
定期的に処理が実行される毎に、前記取得された動作量が示す単位動作量に従い、前記電圧調整部を動作させるための制御指令を出力する単位量制御部を、含む、請求項１に記載の電圧無効電力制御装置。
【請求項３】
前記単位量制御部は、
定期的に処理が実行される毎に、前回の実行時に出力された制御指令に対する応動が前記測定電圧から検出される場合に、前記制御指令を出力する、請求項２に記載の電圧無効電力制御装置。
【請求項４】
前記電圧調整部は、前記母線の電圧が変化するように動作する複数種類の調整回路を含み、
前記調整回路毎に、単位動作量のデータが格納されたデータ格納部をさらに備え、
前記単位量制御部は、前記データ格納部から、前記調整回路の種類毎に前記単位動作量のデータを取得する、請求項３に記載の電圧無効電力制御装置。
【請求項５】
前記応動は、前記単位動作量に従う制御指令に対する前記母線の測定電圧の変動を含み、
前記制御指令に対する前記応動が示す前記測定電圧の変動の履歴を示す履歴データを格納する履歴格納部をさらに、備え、
前記履歴格納部の履歴データから、前記単位動作量のデータを取得し、前記データ格納部に格納する、請求項４に記載の電圧無効電力制御装置。
【請求項６】
前記目標帯は、予め定めた期間毎に変更可能であり、
前記予め定めた期間が、前記制御指令を送出してから当該制御指令に対する応動が検出されるまでの時間よりも短く、かつ前記測定電圧が、次期の前記目標帯内の電圧を示す場合に、前記母線の測定電圧、および前記動作量検出部により検出される動作量に従い、前記電圧調整部に前記制御指令を出力するか否かを判定する制御指令判定部を、さらに備える、請求項１から５のいずれかに記載の電圧無効電力制御装置。
【発明の詳細な説明】
【技術分野】
【０００１】
本発明は、電力系統の電圧無効電力を制御する装置に関し、特に、電力系統の電圧変動に備えた制御を実施する電圧無効電力制御装置に関する。
【背景技術】
【０００２】
電力系統の電圧・無効電力は、給電制御所のＶＱＣ（Voltage Reactive Power Controller）装置によって監視および制御される。ＶＱＣ装置は、負荷の急変動、落雷等の系統事故による電圧変動に備えて制御のため余裕量を確保しつつ電圧調整機器を制御して、電力系統の監視点の電圧を一定に保持し、無効電力を抑制する。
【０００３】
ＶＱＣによる制御方法の１例として、特許文献１（特開２００３−２５９５５４号公報）には、電圧無効電力制御において、中央値からの偏差重み付き２乗和の項を組み込んだ目的関数を用いて、制御余裕量を確保する方法が開示される。
【先行技術文献】
【特許文献】
【０００４】
【特許文献１】特開２００３−２５９５５４号公報
【発明の概要】
【発明が解決しようとする課題】
【０００５】
特許文献１（特開２００３−２５９５５４号公報）では、本来のＶＱＣのための演算とは全く異なる線形計画問題を演算処理する必要がある分、計算量が多くなる。また、外部計算機により線形計画問題を演算処理し、演算結果をＶＱＣ装置へ伝送する構成をとるから、外部計算機および伝送装置など、必要な機器の台数が多くなり構成が複雑となる。
【０００６】
それゆえに、本発明の目的は、簡単な構成で電圧無効電力制御のための余裕量を確保する電圧無効電力制御装置を提供することである。
【課題を解決するための手段】
【０００７】
この発明のある局面に従う電圧無効電力制御装置は、母線と、当該母線の電圧を変化させるように動作する電圧調整部とを有した電力系統のための電圧無効電力制御装置であって、母線からの測定電圧が、目標帯内の電圧を示すか否かを判定する判定部と、目標帯内の電圧を示すと判定された場合に、電圧調整部を制御するための処理を実行する制御処理部と、を備える。
【０００８】
制御処理部は、電圧調整部の動作量を検出する動作量検出部と、動作量検出部により検出された動作量と、目標動作量との偏差から、目標動作量に移行させるための電圧調整部の動作量を取得する移行動作量取得部と、電圧調整部が、移行動作量取得部により取得された動作量に従い動作した場合に推定される、母線の電圧を取得する動作後電圧取得部と、動作後電圧取得部により取得される推定電圧が、目標帯内の電圧を示す場合に、取得された動作量に従い電圧調整部を動作させるための制御指令を出力する制御部と、を含む。
【０００９】
好ましくは、電圧無効電力制御装置は、制御処理部に、定期的に処理を実行させ、制御部は、定期的に処理を実行する毎に、取得された動作量が示す単位動作量に従い、電圧調整部を動作させるための制御指令を出力する単位量制御部を、含む。
【００１０】
好ましくは、単位量制御部は、定期的に処理が実行される毎に、前回の実行時に出力された制御指令に対する応動が測定電圧から検出される場合に、制御指令を出力する。
好ましくは、電圧調整部は、母線の電圧が変化するように動作する複数種類の調整回路を含み、調整回路毎に、単位動作量のデータが格納されたデータ格納部をさらに含む。単位量制御部は、データ格納部から、調整回路の種類毎に単位動作量のデータを取得する。
【００１１】
好ましくは、応動は、単位動作量に従う制御指令に対する母線の測定電圧の変動を含み、制御指令に対する前記応動が示す測定電圧の変動の履歴を示す履歴データを格納する履歴格納部をさらに、含み、履歴格納部の履歴データから、単位動作量のデータを取得し、データ格納部に格納する。
【００１２】
好ましくは、目標帯は、予め定めた期間毎に変更可能であり、予め定めた期間が、制御指令を送出してから当該制御指令に対する応動が検出されるまでの時間よりも短く、かつ測定電圧が、次期の目標帯内の電圧を示す場合に、母線の測定電圧、および動作量検出部により検出される動作量に従い、電圧調整部に制御指令を出力するか否かを判定する制御指令判定部を、さらに含む。
【発明の効果】
【００１３】
本発明によれば、母線電圧が目標帯内の電圧を示す状態を維持しながら、電圧調整部の動作量を目標動作量に移行させるための制御指令を出力する構成をとることで、特別な演算を必要としない簡単な構成で、目標帯内において電圧調整部の制御に関して余裕量を確保しておくことができる。
【図面の簡単な説明】
【００１４】
【図１】本発明の実施の形態１に係るＶＱＣシステムの概略構成図である。
【図２】本発明の実施の形態１に係る基本的な制御パターンを説明する図である。
【図３】本発明の実施の形態１に係る制御ブロック図である。
【図４】本発明の実施の形態１に係る処理フローチャートである。
【図５】本発明の実施の形態１に係る不感帯内における制御量確保処理のフローチャートである。
【図６】本発明の実施の形態１に係る電圧変動値の整定情報が登録されたテーブルを示す図である。
【図７】本発明の実施の形態１に係る電圧変動値の整定情報が登録されたテーブルを示す図である。
【図８】発明の実施の形態１に係る制御パターンを説明する図である。
【図９】本発明の実施の形態２に係る電圧変動値を格納したテーブルを示す図である。
【図１０】本発明の実施の形態２に係るテーブル生成のための情報を示す図である。
【図１１】本発明の実施の形態２に係るテーブル生成のための情報を示す図である。
【図１２】本発明の実施の形態２に係るテーブル生成のための情報を示す図である。
【図１３】本発明の実施の形態３に係る処理フローチャートである。
【図１４】本発明の実施の形態３に係る制御指令判定の処理フローチャートである。
【図１５】本発明の実施の形態３に係る制御パターンを説明する図である。
【発明を実施するための形態】
【００１５】
本発明の各実施の形態について、図面を参照しながら詳細に、図中の同一または相当部分については、同一符号を付してその説明は繰返さない。
【００１６】
[実施の形態１]
＜構成＞
図１には、実施の形態に係るＶＱＣシステムの概略構成が示される。変電所に設置された図１のＶＱＣシステムは、電力系統３００を制御する。
【００１７】
図１を参照して、ＶＱＣシステムは、電力系統３００の母線の電圧Ｖ１，Ｖ２をもとに論理演算を実施し制御指令１００，２００を出力するＶＱＣ盤１９、ＶＱＣ盤１９と電力系統３００および後述する電圧調整部との間の入出力を制御する複数のバンクインターフェイス盤２０（以下、Ｉ／Ｆ盤２０とも言う）、および各Ｉ／Ｆ盤２０を協調動作させるためのＬＲ連動盤を備える。各Ｉ／Ｆ盤２０は、電力系統３００から受信する電圧Ｖ１，Ｖ２を受信し、ＶＱＣ盤１９に出力する。また、ＶＱＣ盤１９から出力される制御指令１００，２００を入力し、電力系統３００に出力する。
【００１８】
本発明のＶＱＣ装置に相当するＶＱＣ盤１９は、記録装置２１、情報を表示するためのＨＩ（Human Interface）表示装置２２、プロセッサ（ＣＰＵ（Central Processor Unit）、タイマ、メモリ等）を含んで構成される演算処理基板２３、およびこれら各部を通信により接続するための各種ＬＡＮ（Local Area Network）を備える。記録装置２１は、ＲＯＭ（Read Only Memory）、ＲＡＭ（Random Access Memory）、ハードディスクなどの揮発性および不揮発性の記憶部を含む。ＨＩ表示装置２２は、外部の端末３０を接続する。端末３０は、ＨＩ表示装置２２に着脱自在に装着されて、表示情報は、ＨＩ表示装置２２を経由し、装着された端末３０にも送信される。端末３０は、たとえば携帯型コンピュータ、タブレット端末などを含み、ＶＱＣ盤１９から受信する情報をディスプレイ等に出力する。
【００１９】
電力系統３００は、１次側の高圧母線、２次側の高圧母線、および両母線間に接続された電圧調整部を備える。電圧調整部は、降圧のためのタップ付変圧器１（以下、単にタップ１と言うこともある）および調相設備を含む。タップ１は、ＶＱＣ盤１９からの制御指令１００に従い、タップ位置が可変に制御される。タップ１は、制御指令１００に従い動作したことを示す応答を出力する。ＣＰＵは、Ｉ／Ｆ盤２０を介し当該応答を入力すると、タップ１が制御指令１００に対しタップ位置変更の応答動作をしたと判定する。
【００２０】
調相設備は、複数の電力用コンデンサＳＣ（以下、単にコンデンサＳＣと言う場合がある）からなるＳＣ群２、複数の分路リアクトルＳｈＲ（以下、単にリアクトルＳｈＲと言う場合がある）からなるＳｈＲ群３、およびスイッチ群を含む。スイッチ群は、各コンデンサＳＣおよび各リアクトルＳｈＲに対応のリレースイッチＳＷを有する。各リレースイッチＳＷは、ＶＱＣ盤１９からの制御指令２００に従い、自在に入／切（ＯＮ／ＯＦＦ）制御されることで、対応して接続された機器（コンデンサＳＣまたはリアクトルＳｈＲ）が投入／開放される。リレースイッチＳＷは、制御指令２００に従い動作したことを示す応答を出力する。ＣＰＵは、Ｉ／Ｆ盤２０を介し当該応答を入力すると、コンデンサＳＣ，リアクトルＳｈＲが制御指令２００に応答して投入／開放の動作をしたと判定する。
【００２１】
制御指令１００は、対象のタップ１の識別子およびタップ上げ／下げの指令を含む。また、その応答は、タップ１の識別子と変更後のタップ位置データを含む。制御指令２００は、対象機器（コンデンサＳＣまたはリアクトルＳｈＲ）の識別子および投入／開放（ＯＮ／ＯＦＦ）指令を含む。また、その応答は、対象機器の識別子と変更後の状態（投入／開放）データを含む。ＶＱＣ盤１９は、受信した応答の内容から、電圧調整部の現在の動作量（ＯＮ／ＯＦＦしている機器の種類と数、タップ上げ／下げのタップ１の数など）を取得する。
【００２２】
本実施の形態１では、電圧調整部の機器は、コンデンサＳＣ、リアクトルＳｈＲおよびタップ１を例示したが、これら種類に限定されるものではなく、例えば、直流→交流変換のインバータを用いることもできる。
【００２３】
図示されないが、タップ付変圧器１の１次側および２次側にはそれぞれ電流センサなどの電流検出部が接続され、また１次および２次側母線にはそれぞれ図示しない電圧センサなどの電圧検出部が接続される。ＶＱＣ盤１９は、Ｉ／Ｆ盤２０を介して、電流検出部による測定値を入力するとともに、電圧検出部による電圧Ｖ１，Ｖ２の測定値を入力する。
【００２４】
＜基本的な制御パターン＞
図２は、本発明の実施の形態に係る基本的な制御パターンを説明する図である。図２には、電圧Ｖ１が割当された軸と、当該軸に直交する電圧Ｖ２が割当された軸により表される制御平面を表す。制御対象となる電圧調整部の機器は、図２の制御平面と現在の電圧Ｖ１，Ｖ２によって決まる。制御の目標値７は、基準電圧±不感帯幅で表された斜線部で示される。目標値７は、電圧調整部の制御が不要となる、すなわち電力系統３００の監視点の電圧を一定に保持することができる不感帯に相当する。なお、目標値は、予めＣＰＵの内部メモリに予め格納される。
【００２５】
動作において、ＶＱＣ盤１９のＣＰＵは、入力する電圧Ｖ１，Ｖ２から図２の制御パターに従い、電圧調整部の機器を制御するための制御指令１００，２００を生成し出力する。測定した電圧Ｖ１，Ｖ２と目標値７との偏差を検出し、検出した偏差から制御対象の機器を決定する。
【００２６】
具体的には、例えば現在の電圧Ｖ１，Ｖ２が図２の制御平面の（１）の領域にあれば、パターンＰ３（コンデンサＳＣのＯＦＦ（開放）およびリアクトルＳｈＲのＯＮ（投入））の制御指令２００を出力する。（２）の領域にあれば、パターンＰ４（タップ１の下げ）の制御指令１００を出力する。（３）の領域にあれば、パターンＰ５（コンデンサＳＣのＯＮ（投入）およびリアクトルＳｈＲのＯＦＦ（開放））の制御指令２００を出力する。（４）の領域にあれば、パターンＰ６（タップ１の上げ）の制御指令１００を出力する。各リアクトルＳｈＲの操作（開放／投入）による制御量（母線の電圧変動量）および各コンデンサＳＣの（開放／投入）による制御量（母線の電圧変動量）は、予めＶＱＣ盤１９のメモリに格納されていると想定する。
【００２７】
上記の制御対象機器の選択では、検出された偏差と電圧調整部の現在の動作状態を示す情報とから、電圧調整部の機器のうち、偏差を小さくするのに最も適したものを制御対象として選択する。選択方法は、上記のパターンＰ３〜Ｐ６で示される。このように、ＣＰＵは、電圧Ｖ１，Ｖ２が制御平面上のどの位置にあるかにより制御対象機器及び制御内容（投入／開放、タップの上げ／下げ）を決定し、出力することで、電圧Ｖ１，Ｖ２は目標値７が示す不感帯内に収まるように制御される。
【００２８】
＜制御ブロック＞
図３は、実施の形態１に係る制御ブロック図である。図３の各部の機能は、プログラムにより構成された、予め定めたメモリに格納される。ＣＰＵは、メモリからプログラムを読み出し、実行することにより、各部の機能が実現される。なお、各部は、プログラムに身ならず、プログラムと回路の組み合わせで構成されてもよい。
【００２９】
図３を参照して、実施の形態１に係る電圧無効電力制御装置は、Ｉ／Ｆ盤２０を介して電力系統３００から測定した電圧Ｖ１，Ｖ２を取得する母線電圧取得部２３１と、母線電圧取得部２３１が取得する電圧Ｖ１，Ｖ２が、目標である不感帯内の電圧を示すか否かを判定する目標帯判定部２３３と、目標の不感帯内にあると判定した場合に、電圧Ｖ１，Ｖ２から、電圧調整部を制御するための処理を実行する制御処理部２３２と、を備える。
【００３０】
制御処理部２３２は、制御指令に対する応答から電圧調整部の動作量を検出する動作量検出部２３４と、目標の不感帯内にあると判定した場合に、検出されている動作量と、目標動作量との偏差を取得する偏差取得部２３５と、取得された偏差から、目標動作量に移行させるための電圧調整部の動作量を取得する移行動作量取得部２３６と、を含む。
【００３１】
また、制御処理部２３２は、電圧調整部が、移行動作量取得部２３６により取得された動作量に従い仮に動作した場合の、母線の電圧Ｖ１，Ｖ２を算出して推定することで取得する動作後電圧取得部２３７と、この推定により取得された母線の電圧Ｖ１，Ｖ２が、目標の不感帯内の電圧を示す場合に、移行動作量取得部２３６により取得された動作量に従い電圧調整部を動作させるための制御指令１００，２００を出力する制御部２３９と、を含む。この制御部２３９は、移行動作量取得部２３６により取得された動作量の予め定めた単位動作量毎に、電圧調整部を動作させるための制御指令１００，２００を出力する単位量制御部２４０を有する。
【００３２】
また、制御処理部２３２は、制御指令判定部２３８を含む。上記の目標の不感帯は、予め定めた期間毎に変更可能である場合に、制御指令判定部２３８は、予め定めた期間（後述の時間ｔ１）が、制御指令１００，２００を送出してから当該制御指令に対する応動（母線から測定した電圧Ｖ１，Ｖ２の変動）が検出されるまでの時間（後述の時間ｔ２）よりも短く、かつ母線電圧取得部２３１が取得する測定した電圧Ｖ１，Ｖ２が、次期の目標不感帯内の電圧を示す場合に、測定した電圧Ｖ１，Ｖ２、および動作量検出部２３４により検出される動作量に従い、制御指令を出力するか否か（すなわち、電圧調整部を制御指令により制御するか否か）を判定する。
【００３３】
＜処理フロー＞
図４は、本発明の実施の形態１に係る処理フローチャートである。当該処理に従いプログラムは、演算処理基板２３の予め定めた記憶部に格納され、ＣＰＵは当該プログラムを読出し実行する。プログラムは、定期的（例えば、１．３ｍｓｅｃ毎）に繰り返し実行される。なお、処理の制御変数として、制御指令が出力されると“１”が設定されて、それに対する応動が検出されたとき“０”が設定されるようなフラグＦを用いる。
【００３４】
母線電圧取得部２３１は、電力系統３００から母線の電圧Ｖ１，Ｖ２を入力する(ステップＳ（以下、単にＳと略す）３）。次に、入力した電圧Ｖ１，Ｖ２の値と、内部メモリに予め格納された整定値を用いて判定、積分処理を実行する。整定値は、メモリに格納された予め定めた基準値（V1ref,V2ref）、不感帯幅を示す値(V1不感帯値，V2不感帯値)、およびサンプリング時間Δtを含む。
【００３５】
目標帯判定部２３３は、入力した電圧Ｖ１，Ｖ２の値が不感帯内の値に該当するか否か、すなわち図２の斜線部内の値であるか否かを判定する（Ｓ５）。不感帯内の値は、（基準値±不感帯幅の値）により示される。不感帯内の値に該当すると判定すると（Ｓ７でＹＥＳ）、後述するＳ３３に移行する。
【００３６】
不感帯内の値に該当しないと判定すると（Ｓ７でＮＯ）、ＣＰＵは、電圧Ｖ１，Ｖ２を不感帯内に収めるように電圧調整部を制御する。まず、フラグＦの値から、制御指令を出力中であるか否かを判定する（Ｓ９）。出力中でないと判定すると（Ｓ９でＮＯ）、以下に示す式１〜式４の積分処理を実施する(Ｓ１１)。
【００３７】
V1S＝V1−（V1ref+V1不感帯値）…(式１)
V2S＝V2−（V2ref+V2不感帯値）…(式２)
Sx=V1S×Δt…(式３）
Sy=V2S×Δt…(式４)
規定値S1=（Sx1+Sx2+Sx3+Sx4+…）…(式5)
規定値S2=（Sy1+Sy2+Sy3+Sy4+…）…(式6)
積分処理において、（積分値＞式５，６が示す規定値）の条件が成立するか否かを判定する（Ｓ１３）。条件式が成立しない場合は（Ｓ１３でＮＯ）、処理を終了し、次の演算周期にて電圧Ｖ１，Ｖ２を入力し（Ｓ３）、同様に積分処理を行う。この操作を繰り返し、式５，式６の条件を満たした場合（Ｓ１３でＹＥＳ）、つまり積分満了となった場合は、制御指令１００，２００が出力されて(Ｓ１５)、フラグＦに“１”をセットする（Ｓ１７）。制御対象とされる電圧調整部の機器は、図２で説明したように、制御平面と現在の系統の電圧Ｖ１，Ｖ２によって決まる。
【００３８】
制御指令を出力中であると判定すると（Ｓ９でＹＥＳ）、制御指令に対する応動が検出された否かを判定する（Ｓ１９）。応動は検出されないと判定すると（Ｓ１９でＮＯ）、処理は終了するが、応動の検出有りと判定すると（Ｓ１９でＹＥＳ）、積分値Sx，Syをクリア（例えば、０をセット）し、フラグＦに“０”をセットする（Ｓ２３）。
【００３９】
電圧Ｖ１，Ｖ２が不感帯内の値に該当する場合には（Ｓ７でＹＥＳ）、まず、積分値Sx，Syをクリア（例えば、０をセット）する（Ｓ３３）。そして、制御処理部２３２により、不感帯内における制御量確保処理（Ｓ３５、Ｓ３７およびＳ３９）が実行される。具体的には、電圧調整部のうちから目標制御対象を決定する（Ｓ３５）。すなわち、目標位置に対して制御を実施する時に、次に何を制御すべきかを決定する。そして、決定した対象機器を制御指令にて仮に動作させた場合の電圧変動値を電圧変動値選択処理にて算出等により推定し（Ｓ３７）、推定により取得した電圧変動値と現在の電力系統３００の電圧Ｖ１，Ｖ２の値を用いて調相・タップ制御量確保処理にて制御指令１００，２００を出力する（Ｓ３９）。その後、処理は終了する。
【００４０】
＜不感帯内における制御量確保処理＞
図５は、本発明の実施の形態１に係る不感帯内における制御量確保処理を具体的に示すフローチャートであり、図４のＳ３５、Ｓ３７およびＳ３９の処理に相当する。図６と図７は、本発明の実施の形態に係る電圧変動値の整定情報が登録されたテーブルを例示する図であり、当該整定情報は、ユーザにより可変に設定されて、ＶＱＣ盤１９の予め定めたメモリに格納される。
【００４１】
図６の、テーブルＴＢは、例えば季節毎に準備されて、図６では、季節の整定データ２３Ｄが“春”を示すテーブルＴＢを例示する。テーブルＴＢは、日内の時間帯毎のレコード（例えば、１６項目）を格納し、各レコードは、当該レコードを一意に識別するための項目データ、当該時間帯を示すデータ２２Ｄ、ならびに電圧調整部の整定データ２４Ｄを含む。整定データ２４Ｄは、単位動作量として、コンデンサＳＣ，リアクトルＳｈＲの投入／開放の状態切替えに応じた電圧変動量（単位：ｋＶ）およびタップの上げ／下げの状態切替えに応じた電圧変動量（単位：ｋＶ）を示す。なお、日内の時間帯を示すデータ２２Ｄと電圧調整部の整定データ２４Ｄとが関連付けされれば、図６のレコード形式に限定されない。また、図７は、年内の時期から“季節”を判定するため参照されるテーブルであって、四季のそれぞれに対応して、年内の期間（月単位）が登録される。図７によれば、“春”は、２月〜４月と示される。
【００４２】
図６と図７を参照して、タイマの計時データから、現在が“３月”で時間帯が“１０時〜１１時”であると判定されると、ＣＰＵは、図６と図７のテーブルを検索することにより、整定データ２４Ｄが示す単位動作量として、コンデンサＳＣの投入は３[ｋＶ]および開放は３[ｋＶ],リアクトルＳｈＲの投入は３[ｋＶ]および開放は３[ｋＶ]、ならびにタップ上げは４[ｋＶ]および下げは４[ｋＶ]との整定値を取得することができる。
【００４３】
図５のフローチャートを用いて制御量確保処理を説明する。なお、電圧調整部を構成する現在のコンデンサＳＣ，リアクトルＳｈＲ，およびタップの台数は予め予め定めたメモリに格納されていると想定する。まず、ＣＰＵは、タイマの計時データが示す現在時刻（月、日、時、分）に基づき図６と図７のテーブルを検索し、整定データ２４Ｄを取得する（ＳＳ１３）。
【００４４】
まず、電圧調整のために投入可能な機器が有るか否かを、目標投入台数Ｎｘと現在の投入台数Ｎｙとから（Ｎｘ＞Ｎｙ）の条件が成立するか否かを判定する（ＳＳ１４）。具体的には、ＣＰＵは、電圧調整部に含まれるコンデンサＳＣの台数Ｎａ，リアクトルＳｈＲの台数Ｎｂから目標投入台数Ｎｘを（式８）により定義し、現投入台数Ｎｙを（式９）により定義する。この目標投入台数Ｎｘと現投入台数Ｎｙが一致する状態を、調相の中間位置つまり目標位置とする。目標投入台数Ｎｘは調相設備の総台数が奇数であれば端数を切り上げた値とする。例えば、調相設備の総台数が７台であれば、目標投入台数は４台となる。タップの中間位置は（式１１）の条件で求める。タップ数が奇数であれば、端数を切り上げた値とする。目標位置に対する制御は調相の制御を優先とする。タップ制御については、現投入台数が目標投入台数となった後に制御を実施することとする。このような目標位置を算出するための台数データおよび制御の優先順位に関するデータは、予めメモリに格納されている。
【００４５】
偏差取得部２３５は、目標投入台数Ｎｘと動作量検出部２３４により検出された現投入台数Ｎｙとを比較し、その偏差を求める(ＳＳ１４)。移行動作量取得部２３６は、目標投入台数Ｎｘの方が多ければ（ＳＳ１４でＹＥＳ）、目標投入台数Ｎｘに対して、電圧上げ制御が不足しているため、電圧上げ制御の対象となる、コンデンサＳＣ投入またはリアクトルＳｈＲ開放の制御を選択する。ＶＱＣでは開放優先と定義しているため、リアクトルＳｈＲの開放を優先する。
【００４６】
まず、リアクトルＳｈＲの開放台数ＮｄとリアクトルＳｈＲの設置台数Ｎｂとについて（Ｎｂ＞Ｎｄ）の条件が成立するか否かを判定する(ＳＳ１５)。（式１５）の通りリアクトルＳｈＲの設置台数Ｎｂに対してリアクトルＳｈＲの開放台数Ｎｄが小さい場合には（ＳＳ１５でＹＥＳ）、開放可能なリアクトルＳｈＲが存在する。動作後電圧取得部２３７は、当該リアクトルＳｈＲを開放した場合の電圧変動値を、Ｓ１３で取得した現在時刻に一致するリアクトルＳｈＲ開放の電圧変動値から算出することで推定し取得する。制御部２３９は、推定により取得された電圧変動値から当該リアクトルＳｈＲを開放できるか否かを判定する（ＳＳ１６）。このような制御パターンの判定方法を、図８の制御平面を用いて説明する。
【００４７】
図８では、現在の電力系統３００の電圧Ｖ１，Ｖ２の組である電圧２５を（V1c,V2c）で表し、現在の不感帯を（V1a,V1b,V2a,V2b）で表し、電圧変動値をKLa,KLrと表している。このケースにおいて、リアクトルＳｈＲを開放・投入するように制御した後の電圧Ｖ１，Ｖ２の組である電圧２５は、（式１７）および（式１８）の通り、現在の電圧２５（V1c,V2c）に電圧変動値（KLa，KLr）を加算・減算した値となる。
【００４８】
したがって、（式１７）および（式１８）の算出値から、開放するような制御後の電圧２６が、不感帯内に収まる、すなわち不感帯内の電圧値を示すか否かを判断し（ＳＳ１６）、収まると判定した場合は（ＳＳ１６でＹＥＳ）、制御部２３９は、リアクトルＳｈＲを投入するための制御指令２００を出力する（ＳＳ１６ａ）。
【００４９】
一方、収まらないと判定した場合は（ＳＳ１６でＮＯ）、同様にして、コンデンサＳＣを投入するような制御後の電圧２６が、不感帯内に収まるか否かを判断し（ＳＳ１７）、収まる場合は（ＳＳ１７でＹＥＳ）、コンデンサＳＣを投入するための制御指令２００を出力する（ＳＳ１７ａ）。収まらないと判断した場合は（ＳＳ１７でＮＯ）、制御信号を出力せずに、処理を終了する。
【００５０】
目標投入台数Nx＝（SC台数Na＋ShR台数Nb）／２…（式８）
現投入台数Ny＝SC投入台数Nc＋ShR開放台数Nd…（式９）
現開放台数Nz＝SC開放台数Ne＋ShR投入台数Nf…（式１０）
タップ中間位置Tx=(タップ数Tz)／２…（式１１）
Nx>Ny…（式１２）
NX<Ny…（式１３）
NX=Ny…（式１４）
Nb>Nd…（式１５）
Na>Ne…（式１６）
V1a＜V1c±KLa<V1b…（式１７）、V2a＜V2c±KLr<V2b…（式１８）
また、同様にして、ＳＳ１５にて、リアクトルＳｈＲの開放台数Ｎｄとその設置台数Ｎｂが一致すると判定した場合は（ＳＳ１５でＮＯ）、リアクトルＳｈＲの開放が不可であるためコンデンサＳＣを投入する制御が選択される。具体的には、コンデンサＳＣを投入した場合の電圧変動値をＳ１３で取得した整定値のデータから選択し、現在の電力系統３００の電圧Ｖ１，Ｖ２に当該電圧変動値を加算・減算し、仮にコンデンサＳＣを投入した場合の制御後の電圧を算出する。制御後の電圧が不感帯内に収まるか否かを判断し(ＳＳ１８)、収まる場合は（ＳＳ１８でＹＥＳ）、コンデンサＳＣを投入する制御指令２００を出力する（ＳＳ１８ａ）。収まらないと判断した場合は（ＳＳ１８でＮＯ）、制御信号を出力せずに、処理を終了する。
【００５１】
現投入台数Ｎｙよりも目標投入台数Ｎｘの方が多ければ（ＳＳ１４でＮＯ）、すなわち（式１３）の条件が成立するときは（ＳＳ１９でＹＥＳ）、目標投入台数Ｎｘに対して、電圧下げ制御が不足しているため、電圧下げ制御の対象となる、コンデンサＳＣ開放またはリアクトルＳｈＲ投入の制御を選択する。ＶＱＣでは開放を優先させるため、コンデンサＳＣ開放を優先する。
【００５２】
具体的には、コンデンサＳＣの開放台数Ｎｅとその設置台数Ｎａとを比較し（ＳＳ２０）、（式１６）の通りコンデンサＳＣの設置台数Ｎａに対してその開放台数Ｎｅが小さい場合には（ＳＳ２０でＹＥＳ）、コンデンサＳＣを開放可能なため、開放した場合の電圧変動値を、Ｓ１３で取得した整定値のデータからコンデンサＳＣ開放の電圧変動値を選択し、（式１７），（式１８）の通り現在の電力系統３００の電圧Ｖ１，Ｖ２に当該電圧変動値を加算・減算し、仮にコンデンサＳＣ開放を実施した場合の、制御後の電圧を算出する。制御後の電圧が不感帯内に収まるか否かを、図８の制御平面から判断する(Ｓ２１)。収まる場合は（ＳＳ２１でＹＥＳ）、コンデンサＳＣを開放するための制御指令２００を出力する（ＳＳ２１ａ）。
【００５３】
一方、収まらないと判定した場合は（ＳＳ２１でＮＯ）、同様にして、コンデンサＳＣを投入するような制御後の電圧２６が、不感帯内に収まるか否かを判断し（ＳＳ２２）、収まる場合は（ＳＳ２２でＹＥＳ）、コンデンサＳＣを投入するための制御指令２００を出力する（ＳＳ２２ａ）。収まらないと判断した場合は（ＳＳ２２でＮＯ）、制御指令を出力せずに、処理を終了する。
【００５４】
ＳＳ２０にて、コンデンサＳＣの開放台数Ｎｅとその設置台数Ｎａが一致する場合は（ＳＳ２０でＮＯ）、コンデンサＳＣの開放が不可のため、リアクトルＳｈＲを投入する制御を選択する。リアクトルＳｈＲを投入した場合の電圧変動値を、ＳＳ１３で取得した整定値のデータから、リアクトルＳｈＲを投入した場合の電圧変動値を選択し、現在の電力系統３００の電圧Ｖ１，Ｖ２に対し、当該電圧変動値を加算・減算し、仮にコンデンサＳＣを投入した場合の制御後の電圧２６を算出する。図８の制御平面において、制御後の電圧２６が不感帯内に収まるか否かを判断し(ＳＳ２３)、収まる場合は（ＳＳ２３でＹＥＳ）、リアクトルＳｈＲを投入するための制御指令２００を出力する（ＳＳ２３ａ）。収まらないと判断した場合は（ＳＳ２３でＮＯ）、制御指令を出力せずに、処理を終了する。
【００５５】
このように、制御処理部２３２は、ＳＳ１３〜ＳＳ２３の制御を実施し、（式１４）の条件を満たせば（ＳＳ１４でＮＯ、且つＳＳ１９でＮＯ）、次に、制御対象としてタップ１の中間位置を目標とする制御（ＳＳ２４以降の処理）を実施する。
【００５６】
まず、偏差取得部２３５は、タップ位置に関し（式１９）の条件が成立するか否かを判定し、目標からの偏差が有るかを判定する（ＳＳ２４）。成立する、すなわち目標からの偏差があると判定したときは（ＳＳ２４でＹＥＳ）、動作後電圧取得部２３７は、タップ上げ制御を実施した場合の電圧変動値を、ＳＳ１３で取得した整定値のデータから選択し、現在の電力系統３００の母線の電圧Ｖ１，Ｖ２に対し、当該電圧変動値を加算・減算し、仮にタップ上げを実施した場合の制御後の電圧２６を算出することで推定し取得する。制御部２３９は、図８の制御平面において、制御後の電圧２６が不感帯内に収まるか否かを判断する(ＳＳ２５)。収まる場合は（ＳＳ２５でＹＥＳ）、タップ上げの制御指令１００を出力する（ＳＳ２５ａ）。収まらない場合は（ＳＳ２５でＮＯ）、何ら制御指令を出力せずに処理を終了する。
【００５７】
タップ中間位置＞現在のタップ位置…（式１９）
タップ位置に関し（式１９）の条件が成立しないと判定したときは（ＳＳ２４でＮＯ）、タップ位置に関し（式２０）の条件が成立するか否かを判定する（ＳＳ２６）。成立しないと判定すると（ＳＳ２６でＮＯ）、制御部２３９による、制御指令は出力されずに処理は終了する。成立すると判定すると（ＳＳ２６でＹＥＳ）、タップ下げ制御が可能か否か判定される。具体的には、動作後電圧取得部２３７は、タップ下げ制御を実施した場合の電圧変動値を、Ｓ１３で取得した整定値のデータから選択し、現在の電力系統３００の母線の電圧Ｖ１，Ｖ２に対し当該電圧変動値を加算・減算し、仮にタップ下げを実施した場合の制御後の電圧２６を算出する。制御部２３９は、図８の制御平面において制御後の電圧２６が不感帯内に収まるか否かを判断する(ＳＳ２７)。収まる場合は（ＳＳ２７でＹＥＳ）、タップ下げの制御指令１００を出力する（ＳＳ２７ａ）。収まらない場合は（ＳＳ２７でＮＯ）、制御指令は出力されずに処理は終了する。
【００５８】
タップ中間位置＜現在のタップ位置…（式２０）
本実施の形態１では、電圧調整部に関する目標動作量を、（式８）および（式１１）で算出した値としたが、これに限定されるものではなく可変に設定することができる。
【００５９】
図４と図５の処理が定期的に繰り返し実行されることで、実行毎に、テーブルＴＢに登録された単位動作量に従い、不感帯内で、調相機器による調整にために動作させる台数は（式８）の目標台数に、タップ１の上げ／下げの位置は中間位置に移行するように制御が繰り返される。つまり、制御部２３９が有する単位量制御部２４０は、処理が定期的に実行される毎に、テーブルＴＢから取得された単位動作量に従い、電圧調整部を動作させるための制御指令１００，２００を出力する。なお、単位量制御部２４０は、母線電圧取得部２３１が取得する測定した電圧Ｖ１，Ｖ２から、前回の実行時に出力された制御指令１００，２００に対する応動が検出されたとき、今回の実行時の制御指令１００，２００を出力するように構成されてもよい。
【００６０】
したがって、本実施の形態１では、電圧調整部は、不感帯内で定期的に、電圧Ｖ１，Ｖ２を不感帯内で維持しながら、電圧調整部は、定期的に１ステップずつ、単位動作量に従って、目標位置に向かって近づくように動作が制御される。これにより、系統事故等の電圧変動に備えて電圧調整部に関する動作制御の余裕量を確保しておくことができる。この効果から、制御余裕量がないために、電圧調整部を用いても系統事故による電圧変動に対処できない事象に至るのを防止することができる。
【００６１】
[実施の形態２]
本実施の形態２は、実施の形態１のテーブルＴＢに関する変形例として示される。図９は、本発明の実施の形態２に係る電圧変動値が登録されたテーブルＴＢ１と、その生成方法を説明するための図である。実施の形態１では、テーブルＴＢに代替し、実施の形態２の方法で生成されるテーブルＴＢ１を用いることができる。
【００６２】
（テーブルの生成）
図８を参照して、テーブルＴＢ１は、記録テーブル２７から生成される。実施の形態２では、制御指令１００，２００を出力する毎に、それに対する当該機器の応動を検出したとき、ＣＰＵは、記録装置２１に制御後の電圧変動値を取得する。すなわち制御指令１００，２００の出力前後に入力する母線の電圧Ｖ１，Ｖ２の変動量から、当該電圧変動値を取得する。記録テーブル２７には、制御指令が出力される毎に、取得した電圧変動値２７３が、取得した日時（日付、時間）データ２７１および制御指令の内容２７２と関連付けされて記録される。
【００６３】
記録テーブル２７のデータは、図１０に規定した、例えば１６項目の時間帯３１毎に、また図１１に規定した時期毎に分類された季節３２に従い分類して記録される。図１２は、記録テーブル２７のデータのうち、テーブルＴＢ１の生成に用いるデータの範囲を指定するデータである。図１２の指示データは、記録テーブル２７のデータのうち、過去３年分のデータからテーブルＴＢ１を生成することを指示する。
【００６４】
図１０〜図１２によれば、記録テーブル２７のデータのうち、“春”のテーブルＴＢ１の時間帯１０時〜１１時のデータを生成するための指示として、『記録テーブル２７の過去３年分のデータのうち、日時データ２７１が“２月〜４月”の時間帯が“１０時〜１１時”に関連付けされた、制御指令の内容２７２と電圧変動値２７３の組を全て抽出する』が示される。
【００６５】
ＣＰＵは、図１０〜図１２が示す指示に従い、抽出したデータから、制御指令の内容２７２毎に、電圧変動値２７３の平均値を算出し、算出した平均値を、“春”のテーブルＴＢ１の時間帯１０時〜１１時のデータとして格納する。これにより、テーブルＴＢ１のデータを過去の電圧変動値の履歴情報から設定することができる。なお、ここでは、平均値を算出するとしたが、当該履歴情報が示す代表値であればよく、他に最頻値、中央値などであってもよい。
【００６６】
図９では、記録テーブル２７には、制御指令に対する応動が示す母線の電圧変動量の履歴を示す履歴データが格納される。テーブルＴＢ１には、記録テーブル２７の履歴データから取得された、単位動作量のデータが格納される。
【００６７】
本実施の形態２によれば、季節，時間帯に応じた電力需要の実際の変動傾向に追従したテーブルＴＢ１を生成することができ、系統事故等の電圧変動に備えた制御の余裕量を当該変動傾向に追従しつつ確保しておくことができる。
【００６８】
[実施の形態３]
本実施の形態３では、実施の形態１の制御指令の出力方法の変形例が示される。図１３は、本発明の実施の形態３に係る処理フローチャートである。図１４は、本発明の実施の形態３に係る制御指令判定の処理フローチャートである。図１５は、本発明の実施の形態３に係る制御パターンを説明する図である。
【００６９】
本実施の形態３では、予め定めた時間ｔ１の間隔で不感帯が変更（更新）される。また、ＣＰＵが電圧調整部に制御指令１００，２００を出力してから、応動を確認するまでに時間ｔ２を要する。
【００７０】
本実施の形態３に係る制御方法では、制御指令判定部２３８は、現在の時刻の基準値・不感帯の整定から次の時刻の基準値・不感帯の整定に変化するまでの時間ｔ１と制御指令を送出してから制御応動が返信されるまでの時間ｔ２とを比較し、前者の時間が短い場合かつ現在の電力系統３００の母線の電圧Ｖ１，Ｖ２が次の時刻の不感帯内に収まると判定した場合には、現在のコンデンサＳＣの投入台数，リアクトルＳｈＲの開放台数によって制御指令を送出するか否かを決定する。つまり、時間ｔ１と時間ｔ２とについて（式２１）の条件が成立し、且つ制御平面において制御指令送出の検討開始を判定するための送出検討条件が成立したとき、制御指令を出力するか否かを判定する。制御指令を出力すると判定されると、制御部２３９により制御指令１００，２００が出力される。
【００７１】
なお、本実施の形態３では、電圧調整部に制御指令が出力される毎に、タイマにより時間ｔ１，ｔ２が計測されてメモリに時間履歴データとして格納される。また、各時刻の基準値・不感帯の整定データも検出されて整定履歴データとしてメモリに格納される。制御指令判定部２３８が用いる時間ｔ１，ｔ２のデータは、時間履歴データから代表値を算出することにより取得される。また、各時刻の基準値・不感帯の整定データも、整定履歴データから代表値が算出されることで取得される。代表値は、平均値、最頻値、中央値などを含む。
【００７２】
図１５を参照し、上記の送出条件について説明する。図１５では、制御指令判定部２３８は、現在の時刻の不感帯の整定値（V1a，V1b，V2a，V2b）３４と現在の電力系統３００の母線電圧（V1c,V2c）３５とについて、（式２２）と（式２３）の条件が成立し、且つ次の時刻の基準値・不感帯の整定値（図１８の破線の枠）について（式２４）と（式２５）の条件が成立すると判定した場合は、制御指令送出の可否を検討開始する条件（以下、検討開始条件ともいう）が成立すると判定する。すなわち、検討開始条件が成立する場合には、電圧調整部の制御を実施しなくても、現状の電力系統３００の母線の電圧Ｖ１，Ｖ２のまま待機していれば、次の時刻の基準値・不感帯の整定で、母線の電圧Ｖ１，Ｖ２は次の時刻の不感帯（図１８の破線の枠）内に入ることを意味する。従って、この場合には、基本的には制御指令は出力されないが、調相・タップによる制御量を確保する場合には制御指令が出力される。
【００７３】
t1＜t2… (式２１)
V1c＜V1aまたはV1c＞V1b…(式２２)
V2c＜V2bまたはV2c＞V2a…(式２３)
V1A＜V1c＜V1B…(式２４)
V2A＜V2c＜V2B…(式２５)
図１３と図１４を参照して、実施の形態３の処理を説明する。図１３のフローチャートは、図４のフローチャートのＳ１５とＳ１７を、Ｓ１４の処理で代替したものである。図１３のＳ１４を除いた他の処理は、図４に示したものと同様であるから、説明は繰り替えさない。図１４には、図１３のＳ１４の詳細が示される。
【００７４】
図１４を参照して、まず、ＣＰＵは、タイマが計時する時間データに基づき、メモリの時間履歴データの代表値である時間ｔ１，ｔ２を算出し、同様に、整定履歴データの当該時刻の代表値である基準値・不感帯の整定データを算出する。これにより、時間ｔ１，ｔ２と当該時刻の基準値・不感帯の整定データを入力することができる（Ｓ４０）。
【００７５】
制御指令判定部２３８は、入力したデータに基づき、時間ｔ１と時間ｔ２とについて（式２１）の条件が成立するか否かを判定する（Ｓ４１）。条件が成立しないと判定すると（Ｓ４１でＮＯ）、すなわち、次の不感帯に変更されるまでの期間内で、電圧調整部に制御指令を出力してその応動を確認することができることから、制御部２３９は、図２で示した基本的な制御パターンに従い電圧調整部に対して制御指令を出力する（Ｓ５３）。その応答から応動があったと確認されると（Ｓ５５）、積分値をリセットして、フラグＦをリセットする（Ｓ５７、Ｓ５９）。その後、図１３の処理に戻る。
【００７６】
制御指令判定部２３８は、（式２１）の条件が成立すると判定すると（Ｓ４１でＹＥＳ）、次の時刻の基準値・不感帯の整定値（図１５の破線の枠）について（式２４）と（式２５）の条件が成立するかを判定する（Ｓ４３）。不成立と判定すると（Ｓ４３でＮＯ）、すなわち、現状の電力系統３００の母線の電圧Ｖ１，Ｖ２のまま待機したとしても、当該電圧Ｖ１，Ｖ２は、次の時刻の基準値・不感帯の整定値（図１５の破線の枠）内に収まらないと判定すると、Ｓ５３以降の処理に移行し、制御部２３９は、不感帯内に収まるような制御指令を出力する。
【００７７】
制御指令判定部２３８は、（式２４）と（式２５）の条件が成立と判定すると（Ｓ４３でＹＥＳ）、現在の電力系統３００の母線の電圧Ｖ１，Ｖ２について（式２２）の条件が成立するか否かを判定する（Ｓ４５）。つまり現在の母線の電圧Ｖ１，Ｖ２が図１５の制御平面における電圧上げ領域（電圧を上げるような制御指令を出力するべき領域）にあるか否かを判定する。条件成立と判定すると（Ｓ４５でＹＥＳ）、（Ｎｘ≦Ｎｙ）の条件が成立するか否かを判定する（Ｓ４７）。すなわち現投入台数Ｎｙが目標投入台数Ｎｘ以上である場合は（Ｓ４７でＹＥＳ）、目標投入台数Ｎｘに対して電圧下げ制御が不足しているため、電圧上げ制御を実施した場合、現状態より電圧下げ制御がさらに不足するため、制御は実施しない（Ｓ５７に移行する）。
【００７８】
一方、目標投入台数Ｎｘに対して、現投入台数Ｎｙが少ない場合は（Ｓ４７でＮＯ）、Ｓ５３に移行し、制御を実施する。つまり、目標位置に対して電圧を上げるような制御が不足しているため、その制御を実施した場合、不足電圧を補う方向になるため、制御は実施する（Ｓ５３）。
【００７９】
制御指令判定部２３８は、（式２２）の条件が成立しないと判定すると（Ｓ４５でＮＯ）、現在の電圧Ｖ１，Ｖ２について（式２３）の条件が成立するか否かを判定する（Ｓ４９）。（式２３）の条件が成立すると判定すると（Ｓ４９でＹＥＳ）、Ｓ５１に移行する。つまり、現在の電力系統３００の母線の電圧Ｖ１，Ｖ２が目標位置に対して電圧下げ領域（電圧を下げるような制御指令を出力するべき領域）にあると判定すると（Ｓ４９でＹＥＳ）、Ｓ５１に移行する。Ｓ５１では、目標投入台数Ｎｘと現投入台数Ｎｙについて（Ｎｘ≧Ｎｙ）の条件が成立するか否かを判定する。一方、（式２３）の条件が成立しないと判定すると（Ｓ４９でＮＯ）、Ｓ５７に移行し、制御を実施しない。
【００８０】
目標投入台数Ｎｘが現投入台数Ｎｙ以上である場合には（Ｓ５１でＹＥＳ）、目標位置に対して電圧を上げるような制御が不足しているため、仮に電圧下げ制御を実施した場合は、電圧を上げるような制御がさらに不足するため、Ｓ５７に移行し、制御は実施しない。
【００８１】
一方、現投入台数Ｎｙが目標投入台数Ｎｘよりも多い場合には（Ｓ５１でＮＯ）、制御を実施する（Ｓ５３）。つまり、目標位置に対して電圧を下げるような制御が不足しているため、電圧下げ制御を実施した場合、不足を補う方向となるため、Ｓ５３に移行し、制御を実施する。
【００８２】
図１４の処理では、現在の基準値・不感帯の整定から次の時刻の基準値・不感帯の整定に変化するまでの時間ｔ１と制御指令を送出して応動が返信されるまでの時間ｔ２とを比較し、時間ｔ１の方が短い場合（Ｓ４１でＹＥＳ）、現在の電力系統３００の母線の電圧Ｖ１，Ｖ２が現在の不感帯内から外れていたとしても、次期の基準値・不感帯の整定時には、次期の不感帯内に入ると判定される場合は（Ｓ４５でＹＥＳ，またはＳ４９でＹＥＳ）、コンデンサＳＣの投入台数，リアクトルＳｈＲの開放台数の状態により、電圧調整部の制御を実施するか否かを決定する（Ｓ４７，Ｓ５１）。
【００８３】
なお、制御対象の機器（コンデンサＳＣ、リアクトルＳｈＲ、タップ１）の種類毎に応答特性が異なることから、時間ｔ１とｔ２は、制御対象機器の種類毎に異ならせてもよい。
【００８４】
実施の形態３では、目標の不感帯が、予め定めた期間（時間ｔ１）毎に変更可能である。そして、次期の基準値・不感帯の整定で現在の電力系統３００の母線の電圧Ｖ１，Ｖ２が不感帯内に入る場合において、制御指令が母線の電圧Ｖ１，Ｖ２を目標位置に近付ける方向に作用する場合には、当該制御指令による電圧調整部の制御を許可するが、そうでない場合には、電圧調整部の制御を許可しない、すなわち母線の電圧Ｖ１，Ｖ２が目標位置から遠ざかるような制御を禁止する。よって、不要な制御を防止し、制御量を確保することが可能となる。
【００８５】
今回開示された実施の形態はすべての点で例示であって制限的なものではないと考えられるべきである。本発明の範囲は、上記した説明ではなく、特許請求の範囲によって示され、特許請求意味および範囲内でのすべての変更が含まれることが意図される。
【符号の説明】
【００８６】
１  タップ付変圧器、２３  演算処理基板、Ｖ１，Ｖ２  電圧、１００，２００  制御指令、３００  電力系統、ＳＣ  電力用コンデンサ、ＳｈＲ  分路リアクトル、ＴＢ，ＴＢ１  テーブル。
【図１】
2015090580.tif 000003
【図２】
2015090580.tif 000004
【図３】
2015090580.tif 000005
【図４】
2015090580.tif 000006
【図５】
2015090580.tif 000007
【図６】
2015090580.tif 000008
【図７】
2015090580.tif 000009
【図８】
2015090580.tif 000010
【図９】
2015090580.tif 000011
【図１０】
2015090580.tif 000012
【図１１】
2015090580.tif 000013
【図１２】
2015090580.tif 000014
【図１３】
2015090580.tif 000015
【図１４】
2015090580.tif 000016
【図１５】
2015090580.tif 000017